(57)【要約】【課題】ＦＰＤカセッテに内蔵されている電源の省電化を可能とし、同容量の電源であっても、より多くの回数の撮影を可能とした放射線画像検出器及び放射線画像撮影システムを得る。【解決手段】放射線画像検出器内各部に電力を供給す電源部と、少なくとも２種類の無線通信手段と、無線通信手段の駆動制御をおこなう制御部と、を有し、制御部は、コマンド通信には無線通信手段のうち最も消費電力の低い無線通信手段を用い、画像データの通信には無線通信手段のうち最も通信速度の速い無線通信手段を用いるよう制御する放射線画像検出器とする。【選択図】図４
2010240339.tif 000002
【特許請求の範囲】
【請求項１】
入射した放射線を検出して放射線画像データを生成する放射線画像検出器であって、
前記放射線画像検出器内各部に電力を供給する電源部と、
少なくとも２種類の無線通信手段と、
前記無線通信手段の駆動制御をおこなう制御部と、を有し、
前記制御部は、コマンド通信には前記無線通信手段のうち最も消費電力の低い無線通信手段を用い、画像データの通信には前記無線通信手段のうち最も通信速度の速い無線通信手段を用いるよう制御することを特徴とする放射線画像検出器。
【請求項２】
前記最も通信速度の速い無線通信手段は、前記画像データの通信時にのみ駆動されることを特徴とする請求項１に記載の放射線画像検出器。
【請求項３】
入射した放射線を検出して放射線画像データを生成する放射線画像検出器であって、
前記放射線画像検出器内各部に電力を供給する電源部と、
少なくとも２種類の無線通信手段と、
前記無線通信手段の駆動制御をおこなう制御部と、を有し、
前記制御部は、所定値以下のデータ量の通信には前記無線通信手段のうち最も消費電力の低い無線通信手段を用い、所定値を超えるデータ量の通信には前記無線通信手段のうち最も通信速度の速い無線通信手段を用いるよう制御することを特徴とする放射線画像検出器。
【請求項４】
前記最も通信速度の速い無線通信手段は、所定値を超えるデータ量の通信時にのみ起動されることを特徴とする請求項３に記載の放射線画像検出器。
【請求項５】
前記無線通信手段は、２種類であることを特徴とする請求項１から請求項４までの何れか一項に記載の放射線画像検出器。
【請求項６】
前記無線通信手段は、ＺｉｇＢｅｅ方式又はＢｌｕｅｔｏｏｔｈ方式の何れか一方と、無線ＬＡＮ方式又はＵＳＢ方式の何れか一方とであることを特徴とする請求項５に記載の放射線画像検出器。
【請求項７】
放射線発生装置と、
請求項１から請求項６までの何れか一項に記載の放射線画像検出器と、
前記放射線画像検出器と通信を行うコンソールと、
を有することを特徴とする放射線画像撮影システム。
【発明の詳細な説明】
【技術分野】
【０００１】
本発明は、無線通信を行う可搬型の放射線画像検出器と、当該放射線画像検出器を用いる放射線画像撮影システムに関するものである。
【背景技術】
【０００２】
従来より、病気診断等を目的として、Ｘ線画像に代表される放射線を用いて撮影された放射線画像が広く用いられている。
【０００３】
こうした医療用の放射線画像は、従来は感光体としてフィルムを用いて撮影されていたが、近年では、放射線画像のデジタル化が実現されており、例えば、被検体を透過した放射線を輝尽性蛍光体層が形成された輝尽性蛍光体シートに蓄積させた後、この輝尽性蛍光体シートをレーザ光で走査し、これにより輝尽性蛍光体シートから発光される輝尽光を光電変換して画像データを得るＣＲ（Ｃｏｍｐｕｔｅｄ  Ｒａｄｉｏｇｒａｐｈｙ）装置が普及している。
【０００４】
更には、ＣＲ装置に代えて、照射された放射線を検出しデジタル画像データとして取得する検出器として放射線固体撮像素子（ＦＰＤ：Ｆｌａｔ  Ｐａｎｅｌ  Ｄｅｔｅｃｔｏｒ）を用いるものが登場しており、ＣＲ装置のカセッテ同様に可搬型に構成されたカセッテ型のＦＰＤ（以下「ＦＰＤカセッテ」と称す）も用いられるようになっている。
【０００５】
ＦＰＤカセッテには、可搬型のメリットを生かすため検出器内に電源供給手段として電池が、またコンソール等の外部装置との通信手段として無線通信手段が設けられているものがある。
【０００６】
このようなＦＰＤカセッテを用いたＸ線デジタル撮影システムとして、電波による無線通信手段と光による無線通信手段を備えたものが知られている（例えば、特許文献１参照）。
【先行技術文献】
【特許文献】
【０００７】
【特許文献１】特開２００５−１３３１０号公報
【発明の概要】
【発明が解決しようとする課題】
【０００８】
ＦＰＤカセッテは、可搬型のメリットを生かすためカセッテ内に電源供給手段として電池等を有している。このような内部に電源を有するＦＰＤカセッテにおいては、頻繁な電池交換や充電を必要とするのでは、迅速な撮影及び診断を行う際の障害となる。しかし、ＦＰＤカセッテは従来の装置と互換性を持たせるため筐体のサイズを変更して大きくすることは困難であり、より大型の大容量の電源を内包させることは容易ではない。このためＦＰＤカセッテ内の消費電力の削減が急務となっている。
【０００９】
上記特許文献１に記載のＸ線デジタル撮影システムにおけるＦＰＤカセッテは、このような電源の問題については全く考慮されていない。
【００１０】
本発明は上記問題に鑑み、ＦＰＤカセッテに内蔵されている電源の省電化を可能とし、同容量の電源であっても、より多くの回数の撮影を可能とした放射線画像検出器及び放射線画像撮影システムを得ることを目的とするものである。
【課題を解決するための手段】
【００１１】
上記の課題は、下記の構成により達成される。
【００１２】
（１）入射した放射線を検出して放射線画像データを生成する放射線画像検出器であって、前記放射線画像検出器内各部に電力を供給する電源部と、少なくとも２種類の無線通信手段と、前記無線通信手段の駆動制御をおこなう制御部と、を有し、前記制御部は、コマンド通信には前記無線通信手段のうち最も消費電力の低い無線通信手段を用い、画像データの通信には前記無線通信手段のうち最も通信速度の速い無線通信手段を用いるよう制御することを特徴とする放射線画像検出器。
【００１３】
（２）前記最も通信速度の速い無線通信手段は、前記画像データの通信時にのみ駆動されることを特徴とする前記（１）に記載の放射線画像検出器。
【００１４】
（３）入射した放射線を検出して放射線画像データを生成する放射線画像検出器であって、前記放射線画像検出器内各部に電力を供給する電源部と、少なくとも２種類の無線通信手段と、前記無線通信手段の駆動制御をおこなう制御部と、を有し、前記制御部は、所定値以下のデータ量の通信には前記無線通信手段のうち最も消費電力の低い無線通信手段を用い、所定値を超えるデータ量の通信には前記無線通信手段のうち最も通信速度の速い無線通信手段を用いるよう制御することを特徴とする放射線画像検出器。
【００１５】
（４）前記最も通信速度の速い無線通信手段は、所定値を超えるデータ量の通信時にのみ起動されることを特徴とする前記（３）に記載の放射線画像検出器。
【００１６】
（５）前記無線通信手段は、２種類であることを特徴とする前記（１）から前記（４）までの何れかに記載の放射線画像検出器。
【００１７】
（６）前記無線通信手段は、ＺｉｇＢｅｅ方式又はＢｌｕｅｔｏｏｔｈ方式の何れか一方と、無線ＬＡＮ方式又はＵＳＢ方式の何れか一方とであることを特徴とする前記（５）に記載の放射線画像検出器。
【００１８】
（７）放射線発生装置と、前記（１）から前記（６）までの何れかに記載の放射線画像検出器と、前記放射線画像検出器と通信を行うコンソールと、を有することを特徴とする放射線画像撮影システム。
【発明の効果】
【００１９】
本発明によれば、放射線画像検出器であるＦＰＤカセッテに内蔵されている電源の更なる省電化が可能となり、同容量の電源であっても、より多くの回数の撮影が可能な放射線画像検出器及び放射線画像撮影システムを得ることが可能となる。
【図面の簡単な説明】
【００２０】
【図１】本実施の形態に係る放射線画像撮影システムの概略構成を示す図である。
【図２】ＦＰＤカセッテとコンソールの要部構成を示すブロック図である。
【図３】ＦＰＤカセッテの内部を示す斜視図である。
【図４】本実施の形態に係る放射線画像撮影システムの動作概略の一例を示すフローチャートである。
【図５】本実施の形態に係る放射線画像撮影システムの動作概略の一例を示すフローチャートである。
【発明を実施するための形態】
【００２１】
以下、実施の形態により本発明を詳しく説明するが、本発明はこれに限定されるものではない。
【００２２】
図１は、本実施の形態に係る放射線画像撮影システム１の概略構成を示す図である。
【００２３】
同図に示すように、本実施の形態に係る放射線画像撮影システム１は、病院や医院内で行われる放射線画像の撮影を想定したシステムであり、放射線画像検出器であるＦＰＤカセッテ６と、このＦＰＤカセッテ６と無線通信可能な制御装置（以下、コンソールと称す）７を有している。１００は撮影室であり、放射線撮影に関する操作を行う撮影操作装置４、無線通信を行うためのアクセスポイント５、放射線照射装置３、ルータ９、を備えている。
【００２４】
アクセスポイント５は、放射線照射装置３を備えた撮影室の所定領域内でＦＰＤカセッテ６とコンソール７とが無線通信する際に、これらの通信を中継する機能をもつ。
【００２５】
本実施の形態に係る放射線画像撮影システム１は、ＦＰＤカセッテ６とコンソール７との無線通信のための手段を複数種備えているものである。なお、この通信手段としては、コマンド通信用として低消費電力であるＺｉｇＢｅｅ方式やＢｌｕｅｔｏｏｔｈ方式が好ましく、撮影した画像の伝送用としては高速の無線ＬＡＮ（例えば、ＩＥＥＥ８０１．１１ａ／ｂ／ｇ／ｎ準拠の通信方式）やＵＳＢが好ましいが、これに限るものでない。なお、アクセスポイント５を経由せず、ＦＰＤカセッテ６とコンソール７とで、直接的に無線通信を行う通信システムであってもよい。
【００２６】
放射線照射装置３は、臥位撮影台１１に横たわっている被検体である患者１２に対して放射線（例えば、Ｘ線）を照射するようになっており、臥位撮影台１１の下方には、ＦＰＤカセッテ６を装着する検出装置装着口１１ａが設けられている。放射線照射装置３は、撮影操作装置４により制御されて所定の撮影条件で放射線撮影を行うようになっている。
【００２７】
また、同図に示すように、撮影操作装置４と、アクセスポイント５と、コンソール７とは、ネットワークＮＷを通じて接続されて構成されている。なお、不図示であるが、放射線画像撮影システム１は、患者診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮＷを介して接続されている。ネットワークＮＷは、当該システム専用の通信回線であってもよいが、システム構成の自由度が低くなってしまう等の理由のため、イーサネット（登録商標）等の既存の回線である方が好ましい。
【００２８】
図２は、ＦＰＤカセッテ６とコンソール７の要部構成を示すブロック図である。
【００２９】
ＦＰＤカセッテ６は撮像部６Ａ、制御部６０、画像記憶部６６０、及び少なくとも２種の送受信部Ａ６５及び送受信部Ｂ６６などからなる。撮像部６Ａは放射線画像信号を取得する機能を有する。制御部６０は、ＦＰＤカセッテ６の各部を統括的に制御する機能を有し、制御プログラムやデータ等を記憶するＲＯＭ、制御プログラムに従って制御部６０の制御を実行するＣＰＵ、ＣＰＵがワークエリアとして利用するＲＡＭ、等から構成されている。画像記憶部６６０は、撮像部６Ａが撮像した画像信号を記憶するＲＡＭなどからなる。送受信部Ａ６５及び送受信部Ｂ６６は制御部６０の制御に基づいて、コンソール７等との通信を行う。電池６７は、ＦＰＤカセッテ６の各部に電力を供給する電源であり、充電式、交換式のいずれであってもよい。なお、電池に限らず、キャパシタを電源とするものであってもよい。
【００３０】
コンソール７は、コンソール制御部７０、送受信部７５、表示部７７、入力操作部７８、画像記憶部７６０を備えて構成されている。コンソール制御部７０は、コンソールの各部を統括的に制御する機能を有し、制御プログラムやデータ等を記憶するＲＯＭ、制御プログラムに従ってコンソール制御部７０の制御を実行するＣＰＵ、ＣＰＵがワークエリアとして利用するＲＡＭ、等から構成されている。
【００３１】
表示部７７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等で構成され、コンソール制御部７０から送られる表示信号の指示に従って、ＦＰＤカセッテ６で撮影した画像信号、撮影条件の情報、患者リスト、各種のメッセージや画像等、各種画面を表示するものである。
【００３２】
入力操作部７８は、例えば、キーボードやマウス等から構成されており、キーボードで押下操作されたキーの押下信号やマウスによる操作信号を入力信号としてコンソール制御部７０に対して出力するものである。なお、入力操作部７８は、いわゆる、タッチパネルにより構成されていてもよい。そして入力操作部７８により撮影条件の情報の入力を行う。ここでいう撮影条件の情報とは、放射線量や放射線検出感度情報等のことである。例えば、放射線照射装置３から照射する放射線量は、撮影部位や患者の条件によって異なる。また放射線検出感度情報は撮影に用いるＦＰＤカセッテ６に対応しており、ＦＰＤカセッテ６に使用されている発光層６４の種類や検出素子６２０の性能によって異なる放射線検出感度を有することになる。
【００３３】
画像記憶部７６０は、撮像部６Ａが撮像した画像信号や画像信号に基づいて得られた画像データや、コンソール７が処理を施して得た画像信号や画像信号に基づいて得られた画像データなどを記憶するＲＡＭなどからなる。送受信部７５は、ＦＰＤカセッテ６等との通信を行う。
【００３４】
図３は、ＦＰＤカセッテ６の内部を示す斜視図である。
【００３５】
同図示すように、ＦＰＤカセッテ６は、内部を保護する筐体６１を有しており、カセッテとして運搬可能に、すなわち可搬に構成されている。筐体６１の内部には、照射された放射線を電気信号に変換する撮像パネル６２が層を成して形成されている。この撮像パネル６２における放射線の照射面側には、入射された放射線の強度に応じて発光を行う発光層６４が設けられている。また撮像パネル全体の大きさは、例えば大角、半切、六切り等の撮影サイズに対応している。
【００３６】
発光層６４は、一般にシンチレータ層と呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。
【００３７】
撮像パネル６２は、発光層６４の放射線が照射される側の面と反対側の面に設けられ、発光層６４から出力された電磁波（光）を電気エネルギーに変換して蓄積し、蓄積された電気エネルギーに基づく画像信号の出力を行う検出素子がマトリクス状に配列されている。撮像パネル６２に蓄積された電荷は、走査駆動回路６０９、読出回路６０８により読み出され、画像信号や画像信号に基づいて得られた画像データとして画像記憶部６６０に記憶され、制御部６０の制御により送受信部６５、６６の何れかから、アクセスポイント５を介してコンソール７へ送信される。電池６７は、ＦＰＤカセッテ６の各部に電力を供給する電源であり、充電式、交換式のいずれであってもよい。なお、電池に限らず、キャパシタを電源とするものであってもよい。
【００３８】
なお、上述のように本実施の形態に係るＦＰＤカセッテ６及びコンソール７は、相互の通信用として、少なくとも２種の通信手段を備えている。コマンド通信用として、例えばＺｉｇＢｅｅ方式やＢｌｕｅｔｏｏｔｈ方式等の低消費電力のものと、撮影した画像の送信用として、例えば無線ＬＡＮ（例えば、ＩＥＥＥ８０１．１１ａ／ｂ／ｇ／ｎ準拠の通信方式）やＵＳＢ等の上記コマンド通信用より高速通信の可能な通信手段を備えていることが好ましい。
【００３９】
図４及び図５は、本実施の形態に係る放射線画像撮影システムの動作概略の一例を示すフローチャートである。以下、図４及び図５に示すフローに従い動作概略を説明する。
【００４０】
なお、図４及び図５に示すフローチャートでは、コンソール７とＦＰＤカセッテ６の間のコマンド通信を一点鎖線で示し、ＦＰＤカセッテ６からコンソール７への画像データの送信を実線で示してある。また、この一点鎖線で示すコマンド通信の通信方式としてＺｉｇＢｅｅ方式を用い、実線で示す画像データの送信には無線ＬＡＮを用いるものとして説明する。
【００４１】
また、図４に示すフローチャートにおいては、予め、撮影に使用するＦＰＤカセッテ６が撮影位置に配置され、このカセッテＩＤがコンソール７から入力されており、使用するＦＰＤカセッテ６が特定されており、ＦＰＤカセッテ６が有するＺｉｇＢｅｅ方式の通信手段はスリープモードとなっているものとする。また、ＦＰＤカセッテ６が有する無線ＬＡＮ方式の通信手段及び撮像パネル６２等については電力供給がなされていない状態となっている。
【００４２】
まず、コンソール７は、患者情報の検索（ステップＳ１０１）を行い、上述の放射線診療の情報を管理するＲＩＳからの検査情報結果を受けて、検査部位の選択（ステップＳ１０２）が行われる。次いで、ＦＰＤカセッテ６に対してコンソール７側からＺｉｇＢｅｅ方式の通信手段にてＦＰＤカセッテ６を起動させる起動信号が送信される（ステップＳ１０３）。このとき、画像データの送信先となるコンソール７のコンソールＩＤや撮影オーダ情報も送信される事が好ましい。なお、コンソール７が１台しかなく、コンソールＩＤを使用しなくても画像データの送信先が特定される場合には、コンソールＩＤを送信する必要はない。
【００４３】
ＦＰＤカセッテ６は、コンソール７からの起動信号を受信する（ステップＳ２０３）と、ＦＰＤカセッテ６を起動（ステップＳ２０４）させ、撮影準備状態へ移行させる。すなわち、コンソール７からの起動信号を受信すると、ＦＰＤカセッテ６のＺｉｇＢｅｅ方式の通信手段のスリープモードを解除し、常時起動しているモードに遷移する。更に、ＦＰＤカセッテ６内の撮像パネル６２を含む各部に電源が供給されて起動動作が行われる。
【００４４】
次いで、ＦＰＤカセッテ６から、コンソール７へＺｉｇＢｅｅ方式の通信手段にて各部の起動が完了したことを通知する起動完了信号を送信する（ステップＳ２０５）。コンソール７では、起動完了信号を受信（ステップＳ１０５）すると、ＦＰＤカセッテ６が準備完了状態になったことを付随の表示部に表示する（ステップＳ１０６）。
【００４５】
一方、放射線照射装置３においては、撮影待機状態とするための２段スイッチの第１段目ＳＷ１がＯＮされるのを待機（ステップＳ３０１）しており、オペレータである技師により該スイッチの第１段目ＳＷ１がＯＮされる（ステップＳ３０１；Ｙｅｓ）と、該スイッチの第１段目ＳＷ１がＯＮされたことをコンソール７に伝達する（ステップＳ３０２）。
【００４６】
コンソール７では、この放射線照射装置３からのスイッチＳＷ１のＯＮの情報を受けると、ＦＰＤカセッテ６へＺｉｇＢｅｅ方式の通信手段にて撮影準備の要求を送信する（ステップＳ１０７）。ＦＰＤカセッテ６はコンソール７からの撮影準備要求を受信する（ステップＳ２０７）と、蓄積電荷のリセット（ステップＳ２０８）を行う。蓄積電荷のリセットとは、ＦＰＤカセッテ６内の撮像パネルに、暗電流ノイズ等により既に蓄積されている電荷を掃き出してクリアすることである。
【００４７】
ＦＰＤカセッテ６は蓄積電荷のリセット後、ＺｉｇＢｅｅ方式の通信手段にて撮影準備が完了したことを送信する（ステップＳ２０９）。コンソール７では、ＦＰＤカセッテ６の撮影準備完了を受信（ステップＳ１０９）すると、放射線照射装置３のインターロックを解除する（ステップＳ１１０）。すなわち、放射線照射装置３の照射禁止ロックが解除される。また、このとき、放射線照射装置３で照射する放射線量等の撮影条件が伝達される。
【００４８】
放射線照射装置３では、インターロックが解除されると、放射線照射装置３に接続された２段スイッチの第２段目ＳＷ２がＯＮされるのを待機（ステップＳ３０３）し、該スイッチの第２段目ＳＷ２がＯＮされる（ステップＳ３０３；Ｙｅｓ）と、該スイッチの第２段目ＳＷ２がＯＮされたことをコンソール７に伝達する（ステップＳ３０３）。
【００４９】
この後、放射線が曝射（ステップＳ３１０）され、ＦＰＤカセッテ６内の撮像パネルは発光層から出力された光を電気エネルギーに変換して蓄積する。すなわち、撮像パネルに画像情報の蓄積が行われる（ステップＳ２１０）。
【００５０】
放射線照射装置３は、所定の撮影条件での放射線の曝射を終了して停止し、停止したことをコンソール７に伝達する（ステップＳ３１１）。
【００５１】
以降は、図５に示すフローとなる。
【００５２】
図５に示すように、撮影が終了すると、コンソール７からＦＰＤカセッテ６へ、ＺｉｇＢｅｅ方式の通信手段にて画像読み取りの要求を送信（ステップＳ１１１）し、ＦＰＤカセッテ６がこれを受信（ステップＳ２１１）すると、画像読み取りが行われる（ステップＳ２１２）。この画像読み取りとは、撮像パネルの個々の画素に蓄積された電荷を、走査駆動回路、読出回路により読み出し、画像記憶部に記憶することであり、読み出された画像信号は、画像データとしてＲＡＷ画像データと間引き画像データを生成して記憶しておくことが好ましい。なお、画像データは、これに限らず、圧縮された画像データであってもよい。
【００５３】
ＦＰＤカセッテ６内での画像読み取りが終了すると、ＦＰＤカセッテ６からコンソール７へ、ＺｉｇＢｅｅ方式の通信手段にて画像読み取りが完了したことを送信する（ステップＳ２１３）。コンソール７側では画像読み取りの完了を受信（ステップＳ１１３）すると、コンソール７からＦＰＤカセッテ６へ、ＺｉｇＢｅｅ方式の通信手段にて撮影された画像の送信要求が送信される（ステップＳ１１４）。ＦＰＤカセッテ６では、コンソール７からの画像送信要求を受信（ステップＳ２１４）すると、制御部６０（図２参照）は画像送信用の通信手段である無線ＬＡＮ方式の通信手段を起動させる（ステップＳ２１５）。
【００５４】
次いで、ＦＰＤカセッテ６は、無線ＬＡＮ方式の通信手段を用いて画像データの送信（ステップＳ２１６）を行い、コンソール７側で、この画像データを受信（ステップＳ１１６）する。
【００５５】
なお、ＦＰＤカセッテ６からコンソール７への画像の送信は、間引き画像データを先に送信し、その後、ＲＡＷ画像データを送信することが好ましい。
【００５６】
次いで、コンソール７からＦＰＤカセッテ６へ、ＺｉｇＢｅｅ方式の通信手段にて暗画像データの送信要求がなされ（ステップＳ１１７）、ＦＰＤカセッテ６側でこれを受信する（ステップＳ２１７）と、ＦＰＤカセッテ６は、暗画像データを取得する（ステップＳ２１８）。暗画像データの取得とは、撮像パネルの各画素毎のノイズレベルデータの取得を意味し、放射線の曝射を行わずに撮像パネルを所定時間駆動して、撮像パネルの個々の画素に蓄積された電荷を、走査駆動回路、読出回路により読み出し、画像記憶部に記憶することである。
【００５７】
暗画像データの取得後、ＦＰＤカセッテ６からコンソール７へ、無線ＬＡＮ方式の通信手段にて暗画像データを送信（ステップＳ２１８）し、コンソール７では、この画像データの受信（ステップＳ１１９）が行われる。
【００５８】
この後、ＦＰＤカセッテ６では、制御部６０が画像送信用の通信手段である無線ＬＡＮ方式の通信手段の駆動を停止させる（ステップＳ２２０）。すなわち、無線ＬＡＮ方式の通信手段は、画像データ及び暗画像データの送信の前後のみ駆動され、画像データ及び暗画像データの送信にのみ用いられる。
【００５９】
コンソール７側では、受信した画像データと暗画像データに基づいて、画像を補正し、プレビュー画像を表示部に表示する（ステップＳ１２０）。その後、オペレータが画像補正（ステップＳ１２１）、補正後の画像表示（ステップＳ１２２）、画像処理（ステップＳ１２３）を行い、得られた画像に基づき、再撮影が必要か否か判断する（ステップＳ１２４）。得られた画像が不満足で再撮影が必要な場合は（ステップＳ１２４；Ｙｅｓ）再撮影を行うため、ステップＳ１０６へ戻り、上記と同様の動作を行う。
【００６０】
得られた画像でよい場合（ステップＳ１２４；Ｎｏ）は、得られた画像データを保存する（ステップＳ１２５）。この保存は、例えばネットワーク上に配置されたサーバー等に保存されることが好ましいが、コンソール７内の記憶部に保存してもよい。
【００６１】
次いで、他の部位の画像も撮影予定であり連続撮影の要ありか否か判断（ステップＳ１２６）し、連続撮影の要あり（ステップＳ１２６；Ｙｅｓ）の場合には、ステップＳ１０１へ戻り、上記と同様の動作を行う。連続撮影の要なしの場合（ステップＳ１２６；Ｎｏ）には、コンソール７からＦＰＤカセッテ６へ、ＺｉｇＢｅｅ方式の通信手段にてスリープモードへの遷移許可を送信（ステップＳ１２７）し、ＦＰＤカセッテ６は、この送信を受信（ステップＳ２２７）すると常時起動しているモードからスリープモードへ状態遷移（ステップＳ２２８）を行う。
【００６２】
以上が、本実施の形態に係る放射線画像撮影システムの動作概略の一例である。
【００６３】
なお、ＦＰＤカセッテ６からの画像データの送信については、ＲＡＷ画像データと間引き画像データを、一つのステップで送信する例で説明したが、これに限るものでなく、例えば間引き画像データを先に送信して表示部に間引き画像データの画像を早期に表示させつつ、追ってＲＡＷ画像データと暗画像データを共に送信するような動作としてもよい。
【００６４】
また、間引き画像データとＲＡＷ画像データを送信する例で説明したが、これに限るものでなく、例えば間引き画像データと該間引き画像データで間引きされた補間データを送信し、コンソール７側で合成するようなものでもよい。また、ＲＡＷ画像データから生成された詳細画像データと詳細画像データから生成された間引き画像データを圧縮して送信するようなものでもよい。
【００６５】
上述のように、本実施の形態に係る放射線画像検出器であるＦＰＤカセッテは、少なくとも２種類の無線通信手段を備え、データ量は少ないが通信頻度の高いコマンド通信については、通信速度は遅いが消費電力の少ないＺｉｇＢｅｅ方式を用い、膨大なデータ量の画像データである放射線画像データ及び暗画像データの送信については、やや消費電力は高いが高速の無線ＬＡＮを用いて行うものである。
【００６６】
換言すると、データ量は少なく通信頻度の高いコマンド通信には最も低消費電力の通信手段を用い、コンソール側で早期に必要とされる膨大なデータ量の画像データの送信には、最も高速の無線通信手段を用いる、ということである。
【００６７】
このように、使用時間が長く通信頻度の高いコマンド通信に最も低消費電力の通信手段を用いることで、ＦＰＤカセッテに内蔵されている電池の省電化をおこなうことができ、同容量の電池であっても、より多くの回数の撮影が可能なＦＰＤカセッテを得ることが可能となる。
【００６８】
更に、高速の無線通信手段は、画像データの送信時にのみ駆動するよう構成することで、コンソール側で早期に必要とされる画像データについては短時間で送信可能としつつ、高速の無線通信手段に必要とされる消費電力を最小限にとどめることができ、ＦＰＤカセッテ及び放射線画像撮影システムの使い勝手を損なうことなく、更なる省電化が可能となる。
【００６９】
また、上記の実施の形態においては、コマンド通信に低消費電力の通信手段、画像データの送信に通信速度の速い通信手段を用いる例で説明したが、通信するデータ量に基づいて通信手段の使い分けを行うよう構成してもよい。例えば、データ量が１メガバイト（ＭＢ）以下の通信は低消費電力の通信手段を用い、１メガバイトを超えるデータ量の通信には通信速度の速い通信手段を用いるように構成してもよい。なお、この場合には、上述の間引き画像データについては低消費電力の通信手段で送信され、ＲＡＷ画像データと暗画像データが通信速度の速い通信手段により送信される。このような構成でも上記と同様の効果を得ることができる。
【００７０】
なお、上記の実施の形態においては、ＺｉｇＢｅｅ方式と無線ＬＡＮ方式を備えたＦＰＤカセッテの例で説明したが、これに限るものでなく、例えば、コマンド通信にＢｌｕｅｔｏｏｔｈ方式、画像データの送信に、ＵＳＢ等を用いてもよいし、その他の２種以上の通信手段を通信用途により組み合わせたものであってもよい。
【符号の説明】
【００７１】
１  放射線画像撮影システム
３  放射線照射装置
５  アクセスポイント
６  ＦＰＤカセッテ（放射線画像検出器）
６Ａ  撮像部
７  コンソール
６０  制御部
６１  筐体
６２  撮像パネル
６４  発光層
６５  送受信部Ａ
６６  送受信部Ｂ
６７  電池
７０  コンソール制御部
７５  送受信部Ａ
７６  送受信部Ｂ
７７  表示部
７８  入力操作部
１００  撮影室
【図１】
2010240339.tif 000003
【図２】
2010240339.tif 000004
【図３】
2010240339.tif 000005
【図４】
2010240339.tif 000006
【図５】
2010240339.tif 000007